(57)【特許請求の範囲】
【請求項１】
ロータリ回転体（１）の上方を左右方向に幅広の主カバー（２）で覆い、この主カバー（２）の後部に弾性材の連結板（３）を介してリヤカバー（４）を取付け、このリヤカバー（４）の背面左右と主カバー（２）側に設けた支枠（５）との間を剛体に近い一枚のバネ材からなる左右の吊持板（６，６）で夫れ夫れ連結し、さらに、リヤカバー（４）下端部に上下方向揺動自在で水平方向から少し前上がり状態にレベラー（７）の前端部を軸着（８）し、このレベラー（７）の左右方向中央部と主カバー（２）側の主支枠（９）間を、略水平方向の水平アーム（１０）と上下方向の縦アーム（１１）から成る中折れ連結具（１２）で連結し、該レベラー（７）を自重で吊持する上下自重加圧位置とレベラー（７）を引き上げて自重を軽減する低加圧位置とレベラー（７）の上動を規制する土押し位置に変更調節自在に構成し、リヤカバー（４）の背面左右と主カバー（２）側に設けた支枠（５）との間に取り付けた左右の吊持板（６，６）を、上記リヤカバー（４）の主カバー（２）に対する上下揺動を許容すべくリヤカバー（４）乃至主カバー（２）に対して接続して構成し、リヤカバー（４）の泥土表面に接触する腹下面には、幅方向に所定間隔を有した副数本のツース（１１９，１１９…）の基端部を取り付ける構成とし、ピアノ線材等の弾性材で構成されたツース（１１９）の他端側は軸着（８）部の下方を迂回してレベラー（７）の下方側まで達した片持ち状に支持する構成とし、さらに、レベラー（７）の接地圧を複数段に変更可能なレバー（７３）を設け、レベラー（７）を略水平状で固定された姿勢を保持するロックレバー（９２）を設けたことを特徴とするロータリ耕耘具の土均し装置。
【発明の詳細な説明】
【０００１】
【発明の属する技術分野】
この発明は、ロータリ耕耘具の土均し装置に関する。
この発明は、ロータリ耕耘具の後方を覆うリヤカバー、及び、リヤカバー後縁に取り付けるレベラーの支持装置であって、詳しくは、ロータリ耕耘具の上方を覆う主カバーに対し、その後方に取り付けたリヤカバーとレベラーを、均平性能を優先したり、土移動性能を優先したり、両者のうち必要機能側の性能を優先して保つよう支持変更しようとするものに関する。
【０００２】
【従来の技術、および、発明が解決しようとする課題】
従来、当初のロータリ耕耘具の土均し装置は、開発当初の形態として、実開平４−６６０２号（実公平７−３８４４号）公報（従来第１図例）で示すように、一つの作業機であるロータリ耕耘装置の後部に、別の独立した均平装置を取り付けて、両装置を夫れ夫れ独立して調整することにより均平作業や土寄せ作業を調節簡単に作業していた。ただ、このように独立した作業装置を複数個組み立てたものは、その分どうしても前後方向の長さが長くなってしまい、吊り上げ用のリフト装置の揚力が大きくないと揚力不足となって、小型のトラクターでは補助揚力装置を本機側に追加する必要が生じたり、後方へのオーバハングが大きくなって、旋回時に作業装置が他物に接当したり、破損したりし、安全性や操作性に難点が生じることが有った。
【０００３】
そこで、このような安全性や操作性の欠点を解消する形態として、次に説明する、実開平６−８６４０３号公報（従来第２図例）で示す如きものに発展していった。
発展形態のものは、ロータリ耕耘具のリヤカバー後端にレベラーである均平板の前端部を軸着したものであり、この均平板を直立姿勢として泥土の移動を行ない、均平板を水平方向の姿勢として泥土表面の均平を行なおうとしている。
【０００４】
発展形態のものは、前後長も従来のロータリ耕耘装置程度に短くなって、リフト装置の揚力も大容量に変更しなくても使用できるようになっていると共に、吊り上げ旋回時の操作性も従来のロータリ耕耘装置程度に保つことができている。
しかし、この第２図例で公知の発展形態のものは、当初の独立寄せ集め式に対して明細書中でエプロンとしているリヤカバーを、単に上下動自由に構成しているためリヤカバーが上下変移しやすく、リヤカバー後端に取り付けたレベラーである均平板の姿勢が、リヤカバーが少し動くと均平板前端部の上下位置が自動的に変わってしまい、均平性能や土寄せ性能の維持調節が面倒となっている。
【０００５】
【課題を解決するための手段】
この発明は、従来装置のこのような欠点を解消しようとするものであって、次のような技術的手段を講じた。即ち、請求項１に記載のものは、ロータリ回転体（１）の上方を左右方向に幅広の主カバー（２）で覆い、この主カバー（２）の後部に弾性材の連結板（３）を介してリヤカバー（４）を取付け、このリヤカバー（４）の背面左右と主カバー（２）側に設けた支枠（５）との間を剛体に近い一枚のバネ材からなる左右の吊持板（６，６）で夫れ夫れ連結し、さらに、リヤカバー（４）下端部に上下方向揺動自在で水平方向から少し前上がり状態にレベラー（７）の前端部を軸着（８）し、このレベラー（７）の左右方向中央部と主カバー（２）側の主支枠（９）間を、略水平方向の水平アーム（１０）と上下方向の縦アーム（１１）から成る中折れ連結具（１２）で連結し、該レベラー（７）を自重で吊持する上下自重加圧位置とレベラー（７）を引き上げて自重を軽減する低加圧位置とレベラー（７）の上動を規制する土押し位置に変更調節自在に構成し、リヤカバー（４）の背面左右と主カバー（２）側に設けた支枠（５）との間に取り付けた左右の吊持板（６，６）を、上記リヤカバー（４）の主カバー（２）に対する上下揺動を許容すべくリヤカバー（４）乃至主カバー（２）に対して接続して構成し、リヤカバー（４）の泥土表面に接触する腹下面には、幅方向に所定間隔を有した副数本のツース（１１９，１１９…）の基端部を取り付ける構成とし、ピアノ線材等の弾性材で構成されたツース（１１９）の他端側は軸着（８）部の下方を迂回してレベラー（７）の下方側まで達した片持ち状に支持する構成とし、さらに、レベラー（７）の接地圧を複数段に変更可能なレバー（７３）を設け、レベラー（７）を略水平状で固定された姿勢を保持するロックレバー（９２）を設けたことを特徴とするロータリ耕耘具の土均し装置の構成とした。
【０００６】
【０００７】
【０００８】
【０００９】
【発明の実施の形態】
図例は、農用トラクター１５の機体後部に昇降自在に取り付けて、土壌表面を掘削しながら走行したり、又は掘削した後の泥土上を、砕土または代掻き等の作業をしながら走行するロータリ作業装置１６であって、このロータリ作業装置１６の主要部であるロータリ回転体１後部を覆うリヤカバー４部に、この発明を折り込んでいる。
【００１０】
図１５で示すように、農用トラクター１５は機体の前後に、左右一対の前後車輪３６，３７を設けており、左右の前車輪３６，３６間上方の機枠部にエンジン３８を搭載し、その周りをボンネット３９やフロントグリル４０や左右のサイドカバー４１，４１等で覆っている。４２は計器盤、４３はステアリングハンドルである。左右の後車輪３７，３７上方と両者間の内方はフェンダー１９，１９で覆われ、この左右フェンダー１９，１９間の機体部上には座席４４が設けられ、運転者が着座し操縦する。
【００１１】
ロータリ作業装置１６は、農用トラクター１５の機体後端に設けた、左右方向中央のヒッチ１７部にトップリンク１８の前端を枢支しており、該トップリンク１８の後端にはマストである上部支枠９ａの前端上部を枢支している。また、農用トラクター１５の機体後端下方には左右のロワーリンク２０，２０の前端部を枢支している。
【００１２】
該ロワーリンク２０の後端には、左右方向中央の中央伝動ケース２１から左右側方に突出する左右のビーム２２，２３に一体固設した、支持プレート２４，２４の取付ピン４５部を取り付けている。
また、ロワーリンク２０，２０中途部には、左右のリフトロッド２５，２５の下端を取り付けている。該リフトロッド２５上端は、機体の後部上方に備えた左右のリフトアーム２６，２６の突設後端に取り付けており、リフトアーム２６を図示しないアクチュエータによって上下回動することにより、ロータリ作業装置１６を昇降可能としている。
【００１３】
そして、図３のロータリ作業装置斜視図でも示すが、前記右方のビーム２３側端にはサイドプレート２７の上端部が固設され、左方のビーム２２側端には、サイド伝動ケース２８の上端部が固設されている。該サイドプレート２７とサイド伝動ケース２８下端間には、ロータリ回転体１が左右方向に軸架されている。該ロータリ回転体１は、左右方向の耕耘パイプ２９と、その外周に複数の耕耘刃３４，３４．．．．を取り付けた爪ホルダー３５，３５．．．とから成っており、ロータリ回転体１の回転で泥土表面を掘削したり、掘削後の泥土を砕土したりする。
【００１４】
耕耘パイプ２９の駆動は農用トラクター１５の機体であるリヤ伝動ケース３０後端に突出したＰＴＯ軸３１から、自在継手３２を介して後方中央の中央伝動ケース２１の入力軸３３に伝達される回転力により駆動している。図示しないが入力軸３３より入力した駆動力は、ベベルギヤを介して左方のビーム２２内の伝動軸からサイド伝動ケース２８内上部のスプロケットに伝わり、上部のスプロケットからチェーンを介して下方の耕耘パイプ２９側端部の下部スプロケットを駆動する通常の駆動伝達としている。耕耘パイプ２９の駆動回転に伴い、耕耘刃３４での掘削による耕耘土の上方飛散を防止するため、矢印「イ」方向に回転する耕耘刃３４の先端の回転軌跡上方を主カバー２で覆っている。また、主カバー２から間隔を開けて後方を覆うリヤーカバー４とのこの間隔部には、両者の幅と略同幅の幅広の弾性材から成る連結板３の上端部と下端部を、夫れ夫れ主カバー２の後端部とリヤカバー４の前端部にボルト，ナット等の締付具を介して一体的に取り付けている。これらにより、回転する耕耘刃３４，３４．．．の上部から後部方向を覆っている。
【００１５】
さらに図１，図２，図４でも示すように、リヤカバー４の後端部には、レベラー７の前縁部が複数のピンを介して軸着８，８．．されており、レベラー７はリヤカバー４に対し上下揺動自在に取り付けられている。リヤカバー４の泥土表面に接触する腹下面には、幅方向に所定間隔を有した副数本のツース１１９，１１９．．．の基端部が取り付けられ、ピアノ線材等の弾性材で構成されたツース１１９の他端側は軸着８部の下方を迂回しレベラー７の下方側まで達した片持ち状に支持され、均平作業を行っている泥土中の藁屑や草等の塵埃物をツース１１９の先端部で泥土中に押し込んでいき、リヤカバー４とレベラー７の軸着８部に塵埃物が絡みつくのを防止している。
【００１６】
また、リヤカバー４にはその背面部左右に下部ステー４６，４６を上方に向かって突設しており、主カバー２後部に対応して設けた左右側方の左右支枠５，５と下部ステー４６，４６間に、吊持板６，６を夫れ夫れ上下のピン４７，４８で取り付けて、リヤカバー４を主カバー２に対し、上下揺動を許容または規制すべく吊持接続している。この、吊持板６は剛体に近い一枚の板バネ材から成っており、上下両端部を円筒状に丸め、中間部を弓形に上方突出させている。通常の作業時にはその弓形の形状は変化しないが、破損しようとする直前には変形して破損を防止するものである。即ち、図例では板バネ材としているが、鋼管を側面視弓形に曲げ、上下端部にパイプ材から成るピン取付用のアイボルト部を設けた、一本アームの完全な剛体としても同効である。
【００１７】
支枠５廻りの構成について、図２，図３，図４を主体に全体構成を説明し、図５，図６，図７を主体に要部構成を説明する。
支枠５は一対の左右板材から成っており、主カバー２後端に上方膨出する補強リブ板４９に一体溶接され、上方突出している。そして、支枠５の左右板材上部に開口した前後方向の長孔５０，５０間に、吊持板６の上端部を上ピン４７で取り付けている。上ピン４７は両端を長孔５０，５０に支持されており、この長孔５０に沿って移動可能としている。
【００１８】
また、支枠５の上下方向中間部には、操作アーム５１が軸５２を中心として上下揺動自在に取り付けられ、その上位置または下位置を保持可能状に設けられている。操作アーム５１の下端部は、正面視で上方開口「コ」字状の揺動板５７底面に溶接またはカシメピン等により一体取り付けされており、この揺動板５７を一対の左右支枠５，５間の横方向の軸５２に取り付けている。
【００１９】
図５は、操作アーム５１の下動ロック位置を示しており、揺動板５７の上方突出する規制部５３が長孔５０の上半部を塞いでおり、吊持板６の上ピン４７部の前方移動が途中で制限されている。また、この操作アーム５１を、図５で示す下動ロック位置の状態から矢印「ロ」方向に動かして、図２，図６で示すように揺動板５７と一体の横ピンである係止部１１８を、支枠５に開口したロック孔５４の下端側に移動すると、規制部５３は長孔５０から離れる。これにより、吊持板６の上ピン４７は、支枠５に設けた長孔５０に沿って全範囲を移動可能になる。５５は引張りバネであって、一端を支枠５に設けた横方向の軸５２に取り付け、他端を前述した揺動板５７の係止部１１８に取り付けており、両者を引き寄せている。これにより、丸棒材の横ピンである係止部１１８を軸５２側に引き付け、軸５２周りの長孔ガタの寸法だけ揺動板５７を移動し、ロック孔５４の上下に設けた半円状の係止凹部に係止部１１８を押し当てて位置決めを行なう。
【００２０】
また、長孔５０下方の支枠５，５間には、横方向の別の軸５８が設けられ、この別の軸５８に後方に向かって突設する上下動アーム５６の前端部が軸着されている。この上下動アーム５６の前後方向中間部には横軸５９が左右に突出しており、その突出端を支枠５，５の後部に設けた支持部６０，６０で所定姿勢に支持している。
【００２１】
この上下動アーム５６の突設端は図２，図５で示すように、リヤカバー４が大きく下動して吊持板６が下方に下がったときに接当して吊持板６の下動を制限しており、作業時リヤカバー４の上動により吊持板６が上動すると突出端に間隙が生じる構成としている。
このことは、作業終了時や圃場端等でロータリ作業装置１６を農用トラクター１５の後部で大きく吊持する時に、吊持板５を剛体としていると吊持板６の上ピン４７は、図６で示す状態のように、支枠５の長孔５０内に沿って最下方近傍に移動している。また、通常の土均し時には、ロータリ作業装置１６が図２で示すようにリヤカバー４が掘削泥土に接当する時には、吊持板６の上ピン４７は図２で示す状態のように、支枠５の長孔５０内に沿って最上方側に移動する。
【００２２】
支枠５は、図３，図４で示すように、主カバー２の上面左右方に略対称状に設けられており、弾性材のゴム板等から成る連結板３を介して軟弱に吊り下げたリヤカバー４を、左右夫れ夫れ一本部材の吊持板６，６を介して左右のバランスを略均等に保つように吊っており、リヤカバー４が後方視で一方側に大きく傾斜するのを防止している。
【００２３】
そして、通常のロータリ作業装置１６の土均し時には、この吊持板６の上ピン４７が、支枠５の長孔５０の前後中間部に位置するように、この吊持板６の長さを決めるようにしている。
前にも述べたように、支枠５の長孔５０に沿って前後移動可能とする上ピン４７は、操作アーム５１の操作によって、規制部５３により長孔５０の中間部から上方への移動を規制されることがある。この状態を説明すると、上ピン４７に取り付けられた吊持板６の上動が図５で示すように規制されるから、リヤカバー４が図２の仮想線で示すように下動位置に押えつけられ、上方に逃げるのを規制され、リヤカバー４で直接、または、後述するレベラー７の前端部を間接的に押し下げて、農用トラクター１５の機体前進により土の前方移動を仮に図示したレベル「Ａ」の位置で簡単に行うことができる。
【００２４】
前述したように、通常のロータリ作業装置１６の土均し姿勢時には、この吊持板６の上ピン４７が、支枠５の長孔５０の前後中間部に位置するように、この吊持板６の長さを決めているので、後述するレベラー７が自重で軸着８されている場合、圃場均平面の凹凸に応じてレベラー７がある程度上下移動すると、リヤカバー４も吊持板６の上ピン４７部において、支枠５の長孔５０部に沿ってある程度上下移動し、均平作業時のリヤカバー４またはレベラー７の上下動が規制されず自重支持での作業が容易に行える。
【００２５】
さらに、吊持板６を柔らかな板バネで構成しておけば、吊持板６の下端側が負荷に応じて上下変位し、土移動時のリヤカバー４の前面の抵抗が加減され、ロータリ作業装置１６の急な姿勢変化が生じても、土移動が滑らかで泥土表面の均平性や部材の耐久性が向上したものが提供できる。
次に、レベラー７を吊持する部材について、全体構成を図１，図３，図４を主体に説明し、要部拡大構成を図７，図８，図９，図１０，図１１，図１２，図１３，図１５を主体に説明する。
【００２６】
先に述べたように、ロータリ作業装置１６の中央伝動ケース２１と、左右のビーム２２，２３と、サイドプレート２７とサイド伝動ケース２８は、溶接やボルト締付等によって一つのメインフレームを構成している。この中央伝動ケース２１には、ヒレ状に突出する平板から成る主支枠９が、上方から後方に亘って溶接等で一体的に、左右一対取り付けられている。
【００２７】
該主支枠９の後端部には左右方向に主軸６６が配設され、この主軸６６に水平アーム１０の前端部が取り付けられている。
また、レベラー７の前端部はリヤカバー４の後端縁に軸着８されており、リヤカバー４に対しレベラー７後端側を上下方向揺動自在としている。該、レベラー７の左右方向中央部で、側面視前後方向中央上面に下部支板６７を上方に向かって突設しており、この下部支板６７と前述した水平アーム１０の後端部間に、縦アーム１１を上下で横向きのピン６８，６８を介して取り付けている。
【００２８】
水平アーム１０と縦アーム１１で中折れ連結具１２としており、該、中折れ連結具１２を上下方向に移動調節することにより、メインフレームに対するレベラー７の上下位置を、レベラー７自重状態や、レベラー７低加圧状態や、レベラー７上動規制状態等に変更している。以下に、中折れ連結具１２の上下方向移動調節機構について、具体的に説明する。
【００２９】
ヒレ状に突出する左右の平板から成る主支枠９には、さらに上方に向かって突出する上部支枠９ａ，９ａの下端部が、ボルト，ナット等の締付具６９，６９で一体的に取り付けられている。この上部支枠９ａ，９ａは、後述する連動具の一部を覆うと共に、前端上部にトップリンク取付孔７０，７０を開口している。また、左右の上部支枠９ａ，９ａの一部は、その左右間隔部を左右連結板８３で補強連結されており、この左右連結板８３にはステー７１が上方に向かって一体突設され、該ステー７１と水平アーム１０に取り付けたレバー７３間に引っ張りバネ１３を取り付けている。
この引っ張りバネ１３は、中折れ連結具１２を上方に引き上げるものであり、引き上げた場合レベラー７の接地圧が、図１で示す状態のように減少した均平作業を行なえる。さらに、引っ張りバネ１３は緩める構成ともしており、レバー７３の位置を仮想線で示すように前方移動して引っ張りバネ１３を緩めると、中折れ連結具１２を引き上げる力も減り、図示しないがレベラー７は自重で少し下降した状態で接地し土寄せした均平作業を行なう。
【００３０】
水平アーム１０に取り付けたレバー７３廻りについて、以下詳述する。
図７，図８で示すように、水平アーム１０後部には下部開口「コ」字状の支持板７６が、被せられた状態で溶接等により一体化補強されている。支持板７６下端には、軸７５であるピンを取り付ける横方向の取付孔が開口され、この軸７５にレバー７３の下端取付孔を装着している。一体化された支持板７６と水平アーム１０の天井部には、平面視「コ」字状の溝７４が開口されており、この溝７４にレバー７３の中間部を貫通保持している。溝７４の前後には夫れ夫れ前後係止部７４ａ，７４ｂが設けられ、レバー７３は前後係止部７４ａ，７４ｂの何れかに係止状態となるように、溝７４内の長手方向に沿って設けたピアノ線等の弾性材から成る規制ガイドバネ７７により押圧されている。レバー７３の上下中間部には、揺動ステー７２が溶接一体化されており、この揺動ステー７２の前端に開口した孔７８に、前述した引っ張りバネ１３の後端部を取り付けており、このレバー７３位置を前後揺動調節してバネの引っ張り強さを変更する。７９はカラーであって、軸７５の規制ガイドバネ７７下方部に取り付けることにより、バネのスラスト力でレバー７３の下端が横方向に遊動するのを制限している。
【００３１】
レバー７３を溝７４の後係止部７４ｂに位置保持したときは、引っ張りバネ１３を伸ばす方向に引っ張っており、レベラー７の接地圧を減少している。また、レバー７３を仮想線で示す前方に揺動させて、前係止部７４ａに位置保持したときは、引っ張りバネ１３が緩むから、中折れ連結具１２は自重で垂れ下がり、その分レベラー７も自重で垂れ下がって均平作業をする。
【００３２】
前述したように、図１実線で示すレバー７３位置では引っ張りバネ１３が引っ張られており、レベラー７の接地圧を減少した作用状態を示している。この状態では、圃場表面の土移動を少なく、単に上面を軽く撫でつける作用を行い、均平度の良い圃場での作業となる。
このように、引っ張りバネ１３は、上方のステー７１と下方の揺動ステー７２の間に露出して取り付けられているから、廻りに邪魔ものがなく、引っ張りバネ１３を荷重の異なるものへと直接的に部材変更する場合や、レバー７３の調節ストローク段数を増やす等の間接的な引っ張り荷重の変更調節を非常に簡単容易に行なえる構成としている。
【００３３】
水平アーム１０の支持板７６前方には下部支板８２が取り付けられ、この下部支板８２に連動ロッド１４の下端部が軸着されている。連動ロッド１４の上端部は図９で示すように、左右の上部支枠９ａ，９ａ間に挾持支持されるコマボス８４に開口した挿通孔８５から、上方に貫通突設している。コマボス８４には、軸心方向に孔８６が開口されており、この孔８６にはロックピン８７が、伸縮移動自在に取り付けられている。
【００３４】
連動ロッド１４の上部には、左右方向に開口貫通した単孔のロック孔８８と、軸心方向に長く沿って一側面をえぐり込んだスライド長孔８９とを設けている。そして、前述したコマボス８４内のロックピン８７の先端部が、図９で示すようにスライド長孔８９に係合しているときは、連動ロッド１４はコマボス８４内の挿通孔８５に沿って、スライド長孔８９の範囲内で移動可能としており、このことは言葉を変えると、中折れ連結具１２がスライド長孔８９の範囲内で上下移動し、その下端に取り付けたレベラー７も詳しい作用については後述するが、略水平方向の地表面に沿って上下可能として均平作業を行ないながら走行している。
【００３５】
また、ロックピン８７を後述する操作に伴ってスライド長孔８９から外して、連動ロッド１４のロック孔８８に係合したときは、連動ロッド１４は最下端に移動し且つその動きは固定されるから、中折れ連結具１２も下方に移動し、図示はしないが、レベラー７を斜め６０度程度に直立させて、地表面上の泥土を大きく移動を行なうことができる。しかし、この大きな泥土の移動は圃場表面に凹凸を作り易くなり、経験豊かな作業者でないと逆に地表面を荒す欠点も生じる。
【００３６】
９０はロールピンであって、連動ロッド１４の上端部に側方突出状に打ち込まれている。これにより、ロックピン８７が非作用時にロータリ作業装置１６を持ち上げて連動ロッド１４が下動しても、連動ロッド１４がコマボス８４の挿通孔８５から抜け落ちるのを防止している。
９２はロックレバーであって、図１，図９，図１４で示すように、左右一対の向き合った板である上部支枠９ａの左側面外方に突出しており、その軸９３部にロックプレート９１の基端部をピン９４で固定し、ロックレバー９２途中部と上部支枠９ａ間に取り付けたバネ９５の支点越え引っ張り力により、ロックプレート９１をＯＮ，ＯＦＦ切換えて、夫々の位置を保持している。
【００３７】
前述したロックピン８７がスライド長孔８９部に位置して、レベラー７が略水平方向の地表面に沿って均平作業を行なっているときに、ロータリ作業装置１６を吊り上げて水平アーム１０を下降し、ロックピン８７がスライド長孔８９部の上端にある時、図１４で示すようにロックレバー９２を矢印「ホ」方向に操作すると、ロックレバー９２に一体取付されたロックプレート９１の揺動先端部が、連動ロッド１４の上端部に近づくように揺動され、連動ロッド１４の上方移動を規制する。この状態としてロータリ作業装置１６を下降すると、レベラー７は略水平状で固定された姿勢を保ちながら、地表面上の泥土の小さな土移動を行なうことができる。
【００３８】
９６は補強棒であって、ロックプレート９１の揺動先端部を左右連結すると共に、連動ロッド１４の上端に接近した位置に操作された時に、この部材に連動ロッド１４の突出上端を接当させて、連動ロッド１４の上方への移動を規制している。
次に、ロックピン８７について説明する。
【００３９】
図９の、要部拡大平面断面図で示すように、コマボス８４は、円筒小径としたその両端肩部を、左右の上部支枠９ａ，９ａに回動自由に支持しており、該コマボス８４の軸心方向の孔８６に、右外側方からロックピン８７を挿入している。ロックピン８７は、押圧バネ９７により常に矢印「ヘ」方向に押しつけられている。ロックピン８７の先端には、本構成の作用を円滑に行なう要部である、片側のテーパー面９８を有しており、図例では、テーパー面９８と反対方向に揺動アーム９９を突設するボス１００を、ロックピン８７の基端部にロールピン１００ａで係止している。
【００４０】
ロックピン８７側端の揺動アーム９９の機能を一口で言えば、左右の上部支枠９ａ，９ａに回動自由に支持されたコマボス８４を揺動中心として、揺動アーム９９を上方に向けたり、揺動アーム９９を下方に向けたりワンタッチ操作することにより、ロックピン８７先端のテーパー面９８を上下に反転操作しようとするものである。
【００４１】
即ち、前述したように、ロータリ作業装置１６を空中高く吊り上げた際には、レベラー７の下動が自由であるから連動ロッド１４はコマボス８４の挿通孔８５部で、反矢印「ト」方向に沿って下方に移動しようとしており、ロータリ作業装置１６を地表面側に下降してレベラー７下面が接地状態による均平作業中には、レベラー７の接地により連動ロッド１４は、コマボス８４の挿通孔８５に沿って上方の矢印「ト」方向へ移動しようとする。このように連動ロッド１４には、作業機吊り上げ時は下方に、作業機下降の作業時には上方にと、常に、上下方向に動こうとする力が作用している。
【００４２】
ロックピン８７のテーパー面９８の向きを、上向きまたは下向きに変えると、次のような特徴が生じる。例えば図１１で示すように、テーパー面９８の向きを上向きにした場合に、連動ロッド１４に矢印「ト」方向の荷重が作用しても、連動ロッド１４のロック孔８８に挿入されたロックピン８７は、先端直立縁部に曲げ力が作用するだけであり抜けない。また、反矢印「ト」方向の荷重が作用しても、連動ロッド１４先端部に取り付けた、ロールピン９０（９０度展開して図示した。）の突出両端部がコマボス８４の挿通孔８５に接当して荷重を支えているから、ロック孔８８に挿入されたロックピン８７は、そのままの姿勢を保っている。即ち、図１１では、ロータリ作業装置１６がどの位置にあろうと関係無く連動ロッド１４をロックし、中折れ連結具１２の水平アーム１０をロックした状態を示している。
【００４３】
次に、図１１の状態において、図示はしないが、揺動アーム９９を上方に操作してロックピン８７を１８０度回転する。そして、連動ロッド１４に、反矢印「ト」方向の荷重が作用する場合前述のとおり、ロールピン９０の突出両端部が挿通孔８５に接当して荷重を支えており、ロックピン８７はそのままの姿勢を保っている。しかし、矢印「ト」方向の荷重が作用した場合、連動ロッド１４のロック孔８８は、スラスト力により、ロックピン８７のテーパー面９８を押圧バネ９７に逆らって押し上げて移動し、図９で示すように、ロックピン８７は連動ロッド１４のスライド長孔８９部分に移動し、押圧バネ９７の荷重によりロックピン８７の先端が図示の状態までスライド長孔８９内に突入し安定する。
【００４４】
図９で示すものは、ロータリ作業装置１６を空中に吊り上げた状態を示しており、ロックピン８７により連動ロッド１４はこれ以上下方に移動することは無いが、ロータリ作業装置１６を地面側に下降して図１５で示す状態となると、レベラー７が接地（略水平の４度〜８度程度の前上がり。）して、均平作業中には中折れ連結具１２を上動し、連動ロッド１４が押し上げられるから（矢印「ト」方向へ）、スライド長孔８９の範囲内で連動ロッド１４は上下移動する。即ち、図９で示す作用状態は、均平作業を行ないながらレベラー７が上下揺動して走行する際の、連動ロッド１４部の作動範囲位置を示している。
【００４５】
この図９の状態のロックピン８７を、図示はしないが、揺動アーム９９を下方に操作してロックピン８７を１８０度回転し、テーパー面９８を上方に向ける。そして、ロータリ作業装置１６全体を吊り上げてやると、連動ロッド１４はレベラー７側の重量により反矢印「ト」方向に移動し、図１１で先に説明したように、レベラー７を最下方に下降した位置で一定の姿勢にロックする。このロック状態のロータリ作業装置１６を、再度地面側に下降して前進する時はその姿勢は図示しないが、レベラー７が６０度程度前上がりした略垂直方向の姿勢で、圃場表面の泥土を大きく土寄せ移動することができる。
【００４６】
該、ロックピン８７の上下反転操作である揺動アーム９９の姿勢変更を、図例では反転操作レバー１０１によって行なっている。その構成作用について、以下詳述する。
反転操作レバー１０１は、図３の全体斜視図では、上部支枠９ａの右側方上方外方に突設しており、図１０，図１２の側面図で、反転操作レバー１０１は支点１０２を中心として前後揺動することを示す。この反転操作レバー１０１にはリンクロッド１０３の上端が軸着されている。
【００４７】
前述したように揺動アーム９９は、上部支枠９ａに取り付けられたコマボス８４の孔８６を中心に上下反転するだけであるから、単純な構成にしたい場合、リンクロッド１０３の下端を揺動アーム９９の揺動先端部のピン１０４に係合しておけば、反転操作レバー１０１の前後操作に伴って、揺動アーム９９を直接上下反転することができる。
【００４８】
しかし、図例においては、揺動の方向や範囲の確実性を増すために、上下反転揺動の範囲を決める規制板１０５を介して、揺動アーム９９の揺動先端部のピン１０４を操作している。
即ち、規制板１０５は、軸１０６を中心として、軸１０６からロックピン８７間の距離を半径として規制板１０５に開口した、円弧１０７とロックピン８７の軸外径部を案内面として、リンクロッド１０３の下端ピン１０９によって上下揺動操作されている。また、規制板１０５には円弧１０７と直交方向で先端側に長孔１０８が開口され、この長孔１０８に揺動アーム９９の揺動先端部のピン１０４を係合している。規制板１０５が、図１０で示すように右方に移動操作されると、揺動アーム９９の揺動先端部のピン１０４も、長孔１０８に沿って右に移動し、また、図１２で示すように規制板１０５が左方に移動操作されると、揺動アーム９９の揺動先端部のピン１０４は長孔１０８の移動に沿って左に反転移動する。
【００４９】
１１０は引っ張りバネであって、支点１０２廻りに揺動し反転操作される反転操作レバー１０１を、バネの支点越えによって図１０，図１２の何れかの位置に位置決めを行なっている。
次に、図９，図１３を主体として、上部支枠９ａ内に設けた、別の要部構成について説明する。
【００５０】
左右の上部支枠９ａ，９ａに揺動自在に支持された、反転操作レバー１０１の支点１０２にはボス１１１がロールピン１１１ａで一体に取り付けられており、このボス１１１には一体のアーム１１２が下方に向かって突出している。また、左右の上部支枠９ａ，９ａ間に揺動自在に支持されるコマボス８４の略前方方向部には、カム１１３の軸１１４が同様に左右方向に軸着されている。そして、このカム１１３の下方ピン孔１１５、と、前記アーム１１２の上方ピン孔１１６の間には、リンク１１７が取り付けられ両者を連動連結している。
【００５１】
この構成により、反転操作レバー１０１を操作する時、常にカム１１３が操作されるものとしており、その目的作用について、以下、詳述する。
該カム１１３は、反転操作レバー１０１を仮想線で示すように、矢印「チ」方向に操作してロックピン８７を、図１０，図１１で示す連動ロッド１４をロックする位置とするに際し、連動ロッド１４の下降側への動きが鈍いときに、強制的に連動ロッド１４の突出上端を反矢印「ト」方向に手動押圧するものである。
【００５２】
これは、中折れ連結具１２の引っ張りバネ１３の減圧作用が強くて、連動ロッド１４の下降側への動きが動きにくいとき、連動ロッド１４が作業者の人力付加により押し下げやすくなる。このことは、逆説すると、この構成を設けることにより、引っ張りバネ１３の引き強さを大きくできるから、レベラー７の加圧力をさらに小さくできて、土移動の少ないきれいな均し作業が可能になる。
【００５３】
次に、全体の構成作用について、簡略に説明する。
この図例のロータリ作業装置１６は、２ｍから３ｍ程度の幅広の掘削回転刃を有する作業装置であって、該ロータリ作業装置１６を、農用トラクター１５機体後部に設けた昇降操作自在の三点リンク装置を介して宙吊り状に吊り下げて、一度掘削した圃場に水を入れた後、まず、掘削後の土壌表面を回転刃により流体状に練り上げる。
【００５４】
そして、この練り上げた流体状の泥土を、装置後方のレベラー７で泥土表土の凹凸の激しいところにおいては、レベラー７の押圧力を強くしたり、略水平状のレベラー７の姿勢を直立させたりと変更して、土の前後左右への移動を大きくしながらレベラー７の上下変動を少なくして、大凹凸泥土表土での均平作業を行なう。また、最初から凹凸の少ない圃場では泥土表面の土を動かさないように、レベラー７の自重による加圧力を、逆方向への荷重を加えた減圧バネにより上方に引き上げて軽くして小凹凸泥土表土での均平をおこなう。このように、表土の凹凸の大小によって、レベラー７の姿勢や加圧力や減圧力を細かく調節して、泥土表土を一枚の圃場全体で、鏡のように均平にしようとするものである。
【００５５】
このため、具体構成としては、ロータリ回転体１の上方を覆う剛体の主カバー２後部に、弾性材から成るゴム板等を介してリヤカバー４を斜め傾斜状に取付けることによって、まずリヤカバー４の前後や左右への動きを融通自在とし、それを左右方向の両側に一対、剛体側から突設した吊持板６，６の下端取付部によって取付部の上下高さのみは保持しながら、カバー面等の他の前後左右方向の動きはあまり規制せずに保持させ、この状態のリヤカバー４の後縁に、上下揺動自在に前端を軸着したレベラー７とする。これにより、作業装置を吊り上げ時はレベラー７の後端は直立方向に垂れ下がり、作業装置を土壌表土側に降下した均平作業中には、レベラー７の後端は土壌に接触するから、側面視略水平方向の姿勢となる。
【００５６】
この状態のレベラー７を、作業装置の左右方向中央に一個設けた中折れ連結具１２で吊持し、この中折れ連結具１２を引っ張りバネ１３によって上方に強く引き上げると、レベラー７は浮きぎみの側面視略水平状態となって、圃場表面の泥土を軽く均す程度となって土移動を小さく弱くし、水平度の高い圃場での表土面を荒しにくくしたレベラー低押圧力での均平作業が行なえる。
【００５７】
また、中折れ連結具１２を上方に引き上げる引っ張りバネ１３の引っ張り荷重を調節して弱くすると、中折れ連結具１２は重力で垂れ下がるから、側面視で略水平方向となるレベラー７の均平力は部材の自重程度となって地表面に上下追従して走行し、ある程度の表面泥土の移動が行なえ、少し凹凸のある圃場表面でもきれいに均すことができ、レベラー自重押圧力での均平作業が行なえる。
【００５８】
このとき、左右方向中央部の中折れ連結具１２の各種調節以外に、ロータリ作業装置１６の左右両側方に設けた吊持板６，６部を、操作アーム５１の操作により吊持板６の上方への逃げを規制してリヤカバー４の上動をある程度防止することにより、略斜め傾斜のリヤカバー４の下縁端部の上下位置を下方位置に調整することが容易に行なえ、これによってリヤカバー４前方に泥土をより多く保持しながらレベラー７の前端位置も低位置に下降して泥土表面を均すことができ、リヤカバー前方に泥土を保持した状態でのレベラー低押圧力での均平作業が行なえる。この状態では土移動がより増加した作業が、経験の少ない作業者でも容易に行なうことができる。
【００５９】
また、上下追従均平状態であるレベラー自重押圧力での均平作業時に、連動ロッド１４の上端にロックプレート９１を臨ませて連動ロッド１４の上動を規制すると、レベラー７のスライド長孔８９部による上方への移動が規制され、レベラー全体の上動をある程度規制した、強い土移動を行なえる。この作業までは、経験の少ない作業者でも容易に行なうことができる。
【００６０】
次に、さらに、連動ロッド１４を最下方まで移動し、ロック孔８部でロックすると、レベラー７は対地面角度が６０度程度に直立し、レベラー７の後端縁部が泥土中に深く突入するから、圃場表面に大きな凹凸のあるときでも泥土の移動が容易となって、大容量の土移動を伴った均平整地作業が行なえる。この作業は、土移動性能は非常に向上するが、均平性能を保つには経験を要する。
【００６１】
【発明の作用効果】
この発明は、前述したように構成したので、次のような、技術的特有の効果を奏する。
【００６２】
即ち、泥土表面の凹凸の激しいところにおいては、自重加圧位置としてある程度上下動しながら均平作業を行っているレベラーを、レベラーの上動を規制する土押し位置に規制してやると、レベラー部で土を溜め込んで前進することが可能となり、土移動押圧力を強くして土の前後左右への移動を大きくしながらレベラーの上方変動を少なくして凸部の泥土を凹部に移動でき、大凹凸泥土表面土での均平作業を容易に行なえる。
【００６３】
また、最初から凹凸の少ない圃場では、レベラーを低加圧位置として、レベラーの自重による加圧力を軽くし、泥土表面の土を動かさないようにレベラーを前進させることができるから、小凹凸泥土表土での土移動の無い軽い均平を行うことができる。
また、リヤカバーの上下揺動が簡単に自重で行え、このリヤカバー後縁に軸着され上下揺動するレベラーもある程度融通を持って自重で動かすことができ、滑らかな均平作業が行なえる。左右の吊持板６，６は、剛体に近い一枚のバネ材から構成されているので、破損の直前には変形することで吊持板６，６で接続している部材の破損を防止できる。
【００６４】
リヤカバー４の泥土表面に接触する腹下面には、幅方向に所定間隔を有した副数本のツース１１９，１１９…の基端部を取り付ける構成とし、ピアノ線材等の弾性材で構成されたツース１１９の他端側は軸着８部の下方を迂回してレベラー７の下方側まで達した片持ち状に支持する構成としているので、均平作業を行っている泥土中の藁屑や草等の塵埃物をツース１１９の先端部で泥土中に押し込んでいき、リヤカバー４とレベラー７の軸着８部に塵埃物が絡みつくのを防止できるようになる。
【００６５】
また、レベラー７の接地圧を複数段に変更可能なレバー７３を設けているので、レベラー７の接地圧変更が容易に可能となる。
【００６６】
また、レベラー７を略水平状で固定された姿勢を保持するロックレバー９２を設ける構成としているので、レベラー７は略水平を維持した状態で作業可能となり、作業性が向上するようになる。
【００６７】
【図面の簡単な説明】
【図１】  左右方向中央の中折れ連結具部分の、ロータリ耕耘具全体の側面図である。
【図２】  左右方向側方の吊持板部分の、全体端面側面図である。
【図３】  ロータリ耕耘具土均し装置の、全体背面斜視図である。
【図４】  一部展開したロータリ耕耘具の、簡素な全体背面図である。
【図５】  図２における、支枠部の要部拡大側面図である。
【図６】  図５における、支枠部の要部部材調節後の、拡大側面図である。
【図７】  図１における、水平アーム後部廻りの、要部拡大側面図である。
【図８】  図７における、水平アーム後部廻りの背面断面図、及び平面図である。
【図９】  図１における、上部支枠廻りの断面平面図である。
【図１０】  図１における、上部支枠廻りの要部の側面図である。
【図１１】  図１０における、Ｂ矢視方向の断面平面図である。
【図１２】  図１０における、要部部材の調節状態を示す側面図である。
【図１３】  図１における、上部支枠廻りの断面側面図である。
【図１４】  図１における、上部支枠廻りの一部断面した側面図である。
【図１５】  作業装置をトラクターに取り付けた、均平作業時の全体側面図である。
【符号の説明】
１    ロータリ回転体
２    主カバー
３    連結板
４    リヤカバー
５    支枠
６    吊持板
７    レベラー
８    軸着
９    主支枠
９ａ  上部支枠
１０    水平アーム
１１    縦アーム
１２    中折れ連結具
１３    引っ張りバネ
１４    連動ロッド
７３ レバー
９２ ロックレバー
１１９ ツース
【図１】
0003978281.tif 000002
【図２】
0003978281.tif 000003
【図３】
0003978281.tif 000004
【図４】
0003978281.tif 000005
【図５】
0003978281.tif 000006
【図６】
0003978281.tif 000007
【図７】
0003978281.tif 000008
【図８】
0003978281.tif 000009
【図９】
0003978281.tif 000010
【図１０】
0003978281.tif 000011
【図１１】
0003978281.tif 000012
【図１２】
0003978281.tif 000013
【図１３】
0003978281.tif 000014
【図１４】
0003978281.tif 000015
【図１５】
0003978281.tif 000016